(57)【特許請求の範囲】
【請求項１】
遊技機の作動を統括的に制御するメイン制御手段と、遊技機の演出に係る画像を表示する画像表示ユニットと、遊技機の演出に係る動作が行われる遊技構成部品とを備えた遊技機であって、
前記画像表示ユニットは、
画像を表示する画像表示パネルと、
前記画像表示パネルを収容保持するパネル収容部材と、
前記パネル収容部材の後面に設けられ、前記メイン制御手段から入力される制御信号に基づいて、前記画像表示パネルにおける画像の表示および前記遊技構成部品の作動を制御する演出制御手段と、
前記パネル収容部材の後面に前記演出制御手段と並んで設けられ、前記遊技構成部品と電気接続するための複数の外部接続部を有し、前記演出制御手段と互いに設けられた接続部を用いて電気接続される中継手段と、
前記演出制御手段の後面側を覆うように前記パネル収容部材に取り付けられる演出制御手段用カバーと、
前記中継手段の後面側を覆うように前記パネル収容部材に取り付けられる中継手段用カバーとを備え、
前記中継手段用カバーは、前記中継手段と係合して前記演出制御手段側にスライド移動されることにより、前記パネル収容部材に取り付けられるとともに、前記中継手段および前記演出制御手段の前記接続部を嵌合させて前記中継手段と前記演出制御手段を電気接続させるように構成され、
前記中継手段用カバーは、前記中継手段の前記接続部と対応する位置に設けられ、前記演出制御手段側にスライド移動されるときに用いられる取手部を備えたことを特徴とする遊技機。
【発明の詳細な説明】
【技術分野】
【０００１】
本発明は、パチンコ機等の遊技機に関し、更に詳細には、画像を表示させる画像表示装置を備え、遊技展開に応じた画像を画像表示装置に表示させる制御を行うように構成された遊技機に関する。
【背景技術】
【０００２】
上記のような遊技機の代表例であるパチンコ機には、前面に遊技領域を形成する遊技盤を立設姿勢で収容保持した前枠に、前背面に遊技球の処理経路を一体に設けるとともに、背面に裏セット盤を取り付けて構成され、発射装置により遊技領域上部に導いた遊技球を落下させる過程で遊技領域内に設けた入賞装置に入賞させる遊技を行うように構成されている。遊技盤における遊技領域内には、多数の遊技釘、入賞装置等が取り付けられるとともに、略中央部にセンター飾りが取り付けられており、このセンター飾りに形成した開口部内に遊技展開に応じた図柄を表示させて遊技性を高めるための液晶表示装置が、例えば、この液晶表示パネルの画面を前面に臨ませた配設姿勢で取り付けられている（例えば、特許文献１を参照）。
【０００３】
このようなパチンコ機では、例えば、液晶表示装置の背面に、透明な保護ケース等に覆われて、この液晶表示装置やセンター飾りなどの演出機能を制御する制御基板が一体的に取り付けられて画像表示ユニットが構成されている。近年においては、この制御基板が各機能別に分割して複数設けられる傾向にあり、例えば、パチンコ機全体（枠および盤面）の演出機能を制御する演出制御基板、この演出制御基板からの制御信号に基づいて液晶表示装置における画像の表示を制御する画像制御基板、演出制御基板と遊技盤の盤面におけるセンター飾りや可動役物等とを電気接続するための外部接続用コネクタを有するインターフェース基板等が、基板接続用コネクタを用いて電気接続されて構成されている（例えば、特許文献２を参照）。
【先行技術文献】
【特許文献】
【０００４】
【特許文献１】特開２００７‐２２９２４２号公報
【特許文献２】特開２０１２‐２３２０２６号公報
【発明の概要】
【発明が解決しようとする課題】
【０００５】
上記のような画像表示ユニットでは、基板接続用コネクタを用いて演出制御基板、画像制御基板およびインターフェース基板を接続させるための基板接続機構と、演出制御基板、画像制御基板およびインターフェース基板の表面を覆ってこれらの基板を保護する基板カバーとが別々に設けられていた。そのため、基板交換時には、基板接続機構を操作して基板を接続および解除させる作業と、基板カバーを取り付けるおよび取り外す作業との二つの作業を行う必要があった。
【０００６】
本発明は、このような課題に鑑みてなされたものであり、画像表示ユニットにおける基板交換の作業効率を向上させることができ、且つ構成部材を一体化することによりコストダウンを図ることができる遊技機を提供することを目的とする。
【課題を解決するための手段】
【０００７】
このような目的達成のために、本発明に係る遊技機は、遊技機の作動を統括的に制御するメイン制御手段（例えば、実施形態における主制御基板３４）と、遊技機の演出に係る画像を表示する画像表示ユニット（例えば、実施形態における液晶ユニット４０）と、遊技機の演出に係る動作が行われる遊技構成部品とを備える。その上で、前記画像表示ユニットは、画像を表示する画像表示パネル（例えば、実施形態における液晶表示パネル５１）と、前記画像表示パネルを収容保持するパネル収容部材（例えば、実施形態における液晶パネルケース５３）と、前記パネル収容部材の後面に設けられ、前記メイン制御手段から入力される制御信号に基づいて、前記画像表示パネルにおける画像の表示および前記遊技構成部品の作動を制御する演出制御手段（例えば、実施形態における演出・画像制御基板９０）と、前記パネル収容部材の後面に前記演出制御手段と並んで設けられ、前記遊技構成部品と電気接続するための複数の外部接続部（例えば、実施形態における接続コネクタ１４２，１４３）を有し、前記演出制御手段と互いに設けられた接続部（例えば、実施形態における接続コネクタ９３，１４５）を用いて電気接続される中継手段（例えば、実施形態におけるインターフェース基板１４０）と、前記演出制御手段の後面側を覆うように前記パネル収容部材に取り付けられる演出制御手段用カバー（例えば、実施形態における第１基板カバー１６０）と、前記中継手段の後面側を覆うように前記パネル収容部材に取り付けられる中継手段用カバー（例えば、実施形態における第２基板カバー１６５）とを備える。そして、前記中継手段用カバーは、前記中継手段と係合して前記演出制御手段側にスライド移動されることにより、前記パネル収容部材に取り付けられるとともに、前記中継手段および前記演出制御手段の前記接続部を嵌合させて前記中継手段と前記演出制御手段を電気接続させるように構成され、前記中継手段用カバーは、前記中継手段の前記接続部と対応する位置に設けられ、前記演出制御手段側にスライド移動されるときに用いられる取手部を備える。
【発明の効果】
【０００８】
本発明に係る遊技機によれば、画像表示ユニットにおける基板交換の作業効率を向上させることができ、且つ構成部材を一体化することによりコストダウンを図ることができる。
【図面の簡単な説明】
【０００９】
【図１】本発明に係る遊技機の一例であるパチンコ機の正面図である。
【図２】上記パチンコ機の背面図である。
【図３】上記パチンコ機に装着される遊技盤の正面図である。
【図４】上記遊技盤の背面図である。
【図５】上記パチンコ機の基板配置および制御系の一部を示すブロック図である。
【図６】上記パチンコ機に備えられる液晶ユニットの背面図である。
【図７】上記液晶ユニットを示す図であり、（ａ）は正面図、（ｂ）は側面図である。
【図８】上記液晶ユニットを構成する液晶表示装置の分解斜視図である。
【図９】上記液晶表示装置を構成する画面保護カバーを示す図であり、（ａ）は斜視図、（ｂ）は背面図である。
【図１０】上記液晶ユニットを構成する制御基板アッセンブリの分解斜視図である。
【図１１】上記制御基板アッセンブリを構成する各基板の配置を示す背面図である。
【図１２】上記制御基板アッセンブリを構成する第２基板カバーを示す図であり、（ａ）は後方から見た斜視図、（ｂ）は前方から見た斜視図である。
【図１３】上記制御基板アッセンブリを構成するインターフェース基板および第２基板カバーを液晶表示装置に組み付ける前の状態を示す斜視図である。
【図１４】上記制御基板アッセンブリを構成するインターフェース基板および第２基板カバーを液晶表示装置に組み付ける前に、第２基板カバーにインターフェース基板に取り付けた状態を示す斜視図である。
【発明を実施するための形態】
【００１０】
以下、本発明の好ましい実施形態について図面を参照しながら説明する。まず、本発明に係る遊技機の一例であるパチンコ機ＰＭの全体構成について、図１〜図５を参照しながら説明する。
【００１１】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２の前面側には、前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。ガラス枠５の背後に位置する前枠２の前面側には、遊技盤１０を着脱可能に収容する収容枠が設けられており、この収容枠の上部領域に遊技盤１０が後方から着脱可能にセット保持され、常には閉鎖保持されるガラス枠５の複層ガラスを通して遊技盤１０の正面の遊技領域ＰＡを視認可能に臨ませるようになっている。
【００１３】
遊技盤１０は、図３に示すように、ルータ加工等を施した矩形状の積層合板に、所定の図柄が印刷されたセルを貼り付けて成型される化粧板１１を基板として構成される。化粧板１１の前面には、遊技球が転動可能な略円形の遊技領域ＰＡが区画形成され、図３では詳細図示を省略しているが、この遊技領域ＰＡに多数本の遊技釘、風車、各種入賞具、中央飾り１５などの遊技構成部品が設けられている。遊技領域ＰＡの下端部には、入賞具に落入することなく落下した遊技球を裏面側に排出させるアウト口が化粧板１１を前後に貫通して形成されている。また、遊技盤１０の裏面側には、図４に示すように、球寄せカバー１２の他にも、後述する主制御基板３４を収容保持する主制御基板ユニット３４Ｕや、液晶表示装置５０等を備える液晶ユニット４０が設けられている。
【００１４】
図１に示すように、ガラス枠５の下部には前面側に遊技球を貯留する上下の球皿６，７が設けられ、この下球皿７の正面右側には遊技球の発射操作を行う発射ハンドル８が設けられている。なお、ガラス枠５の前面側には発光ダイオード（ＬＥＤ）やランプ等の電飾装置や、遊技の展開状態に応じて効果音を発生させるスピーカ等が適宜設けられるが、図１においてはこれらを取り外した状態を示している。
【００１５】
前枠２の裏面側には、図２に示すように、中央に前後連通する窓口を有して前枠２よりも幾分小型の矩形枠状に形成された基枠体をベースとしてなる裏セット盤２０が、上下のヒンジ機構３を介して前枠２後方に横開き開閉および着脱が可能に連結されている。この裏セット盤２０には、前面開放の矩形箱状をなす透明樹脂製の保護カバー２９が着脱自在に装着されており、常には前枠２に取り付けられた遊技盤１０の後面側を覆って配設されている。また、裏セット盤２０には、多数の遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３に待機された遊技球を所定条件のもと払い出す球払出装置２４、球払出装置２４の下方に設けられて球払出装置２４から払い出された遊技球を上球皿６に導く払出通路（図示せず）、この払出通路から分岐して上球皿６が満杯の状態のときに払い出された遊技球を下球皿７に導く溢れ球通路（図示せず）等が設けられている。裏セット盤２０の下部には、後述する電源基板３１を収容保持する電源基板ユニット３１Ｕ、枠演出接続基板３２を収容保持する枠演出接続基板ユニット３２Ｕ、払出制御基板３３を収容保持する払出制御基板ユニット３３Ｕ
等が取り付けられている。
【００１６】
以上のように構成されるパチンコ機ＰＭは、外枠１が遊技施設の遊技島（設置枠台）に固定設置され、前枠２、ガラス枠５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球が、ガラス枠５の裏面側に配設される球送りカセットによって１球ずつ遊技補助盤のガイドホルダに送り出され、発射機構のハンマーにより遊技領域ＰＡに打ち出されて、以降パチンコゲームが展開される。
【００１７】
次に、遊技盤１０および裏セット盤２０における各制御基板の配置構成について、図２、図４および図５を参照しながらもう少し詳しく説明する。なお、図５に示す矢印は電力または信号等のやり取りを示すものであり、この矢印の指す方向に電力の供給もしくは信号の送信が実行される。また、図５においては図示省略しているが、主制御基板３４や払出制御基板３３等は、不正な改造行為を防止するために透明樹脂製のケース部材に適宜収容された状態（前述の主制御基板ユニット３４Ｕや払出制御基板ユニット３３Ｕを参照）で取り付けられている。
【００１８】
まず、裏セット盤２０の裏面側下部には、遊技施設側から受電して各制御基板や電気・電子部品に電力を供給する電源基板３１と、ガラス枠５に設けられた電飾装置やスピーカ等のランプ制御、音声制御およびアクチュエータ制御等の各種演出の制御を行う枠演出接続基板３２とが左右に並んで配設されている。そして、遊技球の発射および払い出しに関する制御を行う払出制御基板３３が電源基板３１および枠演出接続基板３２の後方を覆うように取り付けられている。
【００１９】
一方、遊技盤１０の裏面側には、パチンコ機ＰＭにおける制御の中枢を担う主制御基板３４が取り付けられており、この主制御基板３４の前面側には遊技盤中継端子板３５が取り付けられている。また、主制御基板３４の上方には、各種遊技展開に応じた演出画像や抽選図柄を表示させるための液晶表示パネル５１が配設され、この液晶表示パネル５１の後面側に、液晶中継基板５６、演出・画像制御基板９０、およびインターフェース基板１４０が取り付けられて後述する液晶ユニット４０が構成されている。
【００２０】
なお、演出・画像制御基板９０および枠演出接続基板３２は、従来は演出基板として一つの回路基板により構成されていたが、この回路基板を複数に分割して、遊技盤１０（液晶表示パネル５１含む）の種類に応じて相違する演出機能を実現するための演出・画像制御基板９０が遊技盤１０側に設けられ、遊技盤１０の種類に拘わらず枠共通の演出機能を実現するための枠演出接続基板３２が裏セット盤２０側に設けられている。
【００２１】
このように液晶表示パネル５１に表示させる画像の制御等を行う演出・画像制御基板９０等が保持された液晶ユニット４０が、遊技盤１０の裏面側に取り付けられている。図４に示すように、遊技盤１０の略中央部には、化粧板１１を表裏貫通する中央飾り取付孔１３が開口形成されており、この中央飾り取付孔１３に中央飾り（センター役物）１５が取り付けられている。中央飾り１５には、前後に開口した略直方体形の内部空間１６（図３を参照）が形成されており、この内部空間１６の開口面域は、遊技盤１０の裏面側に配設される液晶ユニット４０（液晶表示パネル５１）の表示画面サイズに合わせて形成されている。液晶ユニット４０は遊技盤１０の裏面側にネジ止めされて固定されている。液晶ユニット４０が遊技盤１０にネジ止め固定されると、ガラス枠５の複層ガラスおよび遊技盤１０の内部空間１６を通じて、遊技者がパチンコ機ＰＭの正面から液晶ユニット４０の表示画面全体を視認可能になっている。
【００２２】
次に、本実施形態に係る液晶ユニット４０の具体的な構成について、図６〜図１４を追
加参照しながら説明する。なお、以下の説明においては、説明の便宜上、前後、左右および上下の方向は、パチンコ機ＰＭに取り付けられた状態を基準として定義し、図６および図８等に示す矢印の方向をそれぞれ、前後方向、左右方向および上下方向と称して説明する。
【００２３】
液晶ユニット４０は、図６および図７に示すように、遊技盤１０に取り付けられたときに表示画面となり所定の画像を表示するための液晶表示パネル５１を備える正面視矩形状の液晶表示装置５０と、この液晶表示装置５０の後面側に設けられ、液晶表示パネル５１における画像の表示等を含む各種演出を制御するための回路基板類を備える制御基板アッセンブリ８０と有して構成されている。
【００２４】
液晶表示装置５０は、図８に示すように、画像を液晶表示する正面視矩形状の液晶表示パネル５１と、透明な樹脂材料を用いて矩形箱状に形成され内部に液晶表示パネル５１を収容保持する液晶パネルケース５３とを備えて構成されている。液晶パネルケース５３は、前面開放の矩形箱状に形成されたケース本体５４と、ケース本体５４の前面開放を塞ぐようにケース本体５４に取り付けられる画面保護カバー５２とを備えて構成されている。
【００２５】
ケース本体５４は、透明な樹脂材料を用いて前面開放の矩形箱状に形成されており、そのケース内部に液晶表示パネル５１の表示画面５１ａを前方に向けた状態で液晶表示パネル５１を収容し、液晶表示パネル５１の上下左右面および後面（表示画面５１ａ以外の面）を囲むようになっている。このように液晶表示パネル５１を収容保持したケース本体５４の前面開放を塞ぐように画面保護カバー５２がケース本体５４に取り付けられる。
【００２６】
画面保護カバー５２は、図９に示すように、ケース本体５４の正面視矩形状に合わせて矩形枠状に形成された枠部５２ａと、枠部５２ａの前面側に設けられ液晶表示パネル５１の表示画面５１ａ全体を覆う矩形板状のプレート部５２ｂとを有し、枠部５２ａおよびプレート部５２ｂが透明な樹脂材料を用いて一体に形成されている。枠部５２ａの上下の側壁にはそれぞれ、後方に突出して延びる係合爪５２ｃが形成されている。これらの係合爪５２ｃをケース本体５４の上下の側壁にそれぞれ形成された凹状の係合受部５４ａ（図８を参照）に係合させることにより、画面保護カバー５２がケース本体５４の前面開放を塞いだ状態でケース本体５４に係合保持され、さらに複数本のネジ５５（図７(ａ)を参照）を用いてネジ止め固定されるようになっている。
【００２７】
このようにケース本体５４に取り付けられた画面保護カバー５２により、液晶表示パネル５１の表示画面５１ａを前方から視認可能としつつ、表示画面５１ａの全体を覆って表示画面５１ａを保護するようになっている。なお、画面保護カバー５２は、プレート部５２ｂを介した表示画面５１ａの視認性向上のため、樹脂成型時に型を押し出す際の押し出しピンの跡がプレート部５２ｂに付かないように押し出す位置を考慮して成型されている。画面保護カバー５２の上下の枠部５２ａおよびプレート部５２ｂの境界部には、前後および上下方向に貫通した複数の貫通孔５２ｄが形成されており、これらの貫通孔５２ｄにより液晶表示パネル５１から発生する熱を外部に逃がすようになっている。
【００２８】
制御基板アッセンブリ８０は、図１０に示すように、主制御基板３４から入力される演出指令信号に基づいて、パチンコ機ＰＭ全体の遊技演出および液晶表示装置５０に表示させる画像の制御を行う演出・画像制御基板９０と、演出・画像制御基板９０から遊技盤１０に設けられた遊技構成部品１９（図５を参照）に出力される制御信号を中継するインターフェース基板１４０と、演出・画像制御基板９０から液晶表示装置５０に出力される制御信号を中継する液晶中継基板５６とを備えて構成され、液晶表示装置５０のケース本体５４の後面側に着脱可能に取り付けられる。図１１に示すように、ケース本体５４の後面において、インターフェース基板１４０は演出・画像制御基板９０の右方に並んで配置さ
れ、液晶中継基板５６は演出・画像制御基板９０の上方に並んで配置される。液晶中継基板５６は、ケース本体５４にネジ止め固定されており、通信用ハーネス（図示せず）を介して液晶表示パネル５１と電気接続されている。
【００２９】
演出・画像制御基板９０は、パチンコ機ＰＭの機種（バージョンを含む）および遊技展開に応じた演出の制御、および液晶表示装置５０に表示させる画像の制御を行うための基板である。演出・画像制御基板９０は、矩形板状のプリント配線板９１を基板とし、このプリント配線板９１に種々の半導体デバイスや抵抗、コンデンサ等の電子部品が実装されて演出処理回路や液晶パネル駆動回路が形成されている。演出・画像制御基板９０の下側縁部には第１接続コネクタ９４が設けられている。演出・画像制御基板９０は、第１接続コネクタ９４に接続される通信用ハーネス（図示せず）を介して、主制御基板３４から演出・画像制御基板９０へ一方向通信可能となるように電気接続されている。
【００３０】
演出・画像制御基板９０の左側縁部には第２接続コネクタ９２が設けられている。演出・画像制御基板９０は、第２接続コネクタ９２に接続される通信用ハーネス（図示せず）を介して液晶中継基板５６と電気接続されている。演出・画像制御基板９０は、遊技展開状況に応じて演出ＲＯＭ基板１１０の画像ＲＯＭに記憶された画像データ（アニメーション画像）を読み出し、液晶中継基板５６を介して液晶表示パネル５１に映像出力信号を出力してアニメーション映像を表示させる制御を行うようになっている。
【００３１】
演出・画像制御基板９０における第１接続コネクタ９４の右隣には第３接続コネクタ９５が設けられている。演出・画像制御基板９０は、第３接続コネクタ９５に接続される通信用ハーネス（図示せず）を介して枠演出接続基板３２と電気接続されている。演出・画像制御基板９０は、音響リクエストに応じてサウンドＲＯＭ基板１３０の音声ＲＯＭに記憶された音響データを読み込み、これを合成処理して生成した音響制御信号を枠演出接続基板３２に出力して音響制御を行うようになっている。
【００３２】
演出・画像制御基板９０の右側縁部には第４接続コネクタ９３が設けられている。この第４接続コネクタ９３は、いわゆるボード・トゥ・ボードコネクタである。演出・画像制御基板９０は、第４接続コネクタ９３とインターフェース基板１４０に設けられた接続コネクタ１４５（ボード・トゥ・ボードコネクタ）とが嵌合接続されて、インターフェース基板１４０と電気接続（ボード・トゥ・ボード接続）されている。演出・画像制御基板９０は、液晶表示装置５０のケース本体５４の後面に形成された後方に突出する円筒状の複数の基板取付部５４ｂ（図１０を参照）に複数本のネジ（図示せず）を用いてネジ止め固定される。
【００３３】
インターフェース基板１４０は、矩形形状のプリント配線板１４１を基板とし、このプリント配線板１４１に複数の接続コネクタ１４２，１４３，１４４，１４５が実装されている。インターフェース基板１４０は、接続コネクタ１４２，１４３にそれぞれ接続される通信用ハーネス（図示せず）を介して、遊技盤１０の盤面に配設された中央飾り１５の電飾や可動役物等の遊技構成部品１９（図５を参照）と電気接続される。また、インターフェース基板１４０は、接続コネクタ１４４に接続される通信用ハーネス（図示せず）を介して枠演出接続基板３２と電気接続される。さらに、インターフェース基板１４０は、接続コネクタ１４５と演出・画像制御基板９０に設けられた第４接続コネクタ９３とが嵌合接続されることにより、演出・画像制御基板９０と電気接続（ボード・トゥ・ボード接続）される。なお、図５および図１１では、遊技構成部品１９に電気接続するために二つの接続コネクタ１４２，１４３のみを図示しているが、インターフェース基板１４０には遊技構成部品１９に対応した数の接続コネクタが実装されている。
【００３４】
演出・画像制御基板９０は、インターフェース基板１４０を介して遊技構成部品１９に
ランプ制御信号およびアクチュエータ制御信号を出力して遊技盤１０に配設された遊技構成部品１９のランプ制御およびアクチュエータ制御を行うようになっている。
【００３５】
制御基板アッセンブリ８０は、図１０に示すように、液晶表示装置５０のケース本体５４と演出・画像制御基板９０およびインターフェース基板１４０との間に設けられるシールドプレート１５０と、シールドプレート１５０と演出・画像制御基板９０およびインターフェース基板１４０との間に設けられる絶縁プレート１５３と、演出・画像制御基板９０の後面側を覆うようにケース本体５４に取り付けられるシールドカバー１５５と、シールドカバー１５５および液晶中継基板５６の後面側を覆うようにケース本体５４に取り付けられる第１基板カバー１６０と、インターフェース基板１４０の後面側を覆うようにケース本体５４に取り付けられる第２基板カバー１６５とをさらに備えて構成されている。
【００３６】
シールドプレート１５０は、導体材料（金属材料）を用いて演出・画像制御基板９０およびインターフェース基板１４０の形状に対応した矩形板状に形成されており、演出・画像制御基板９０およびインターフェース基板１４０の前面全体をカバーするように基板９０，１４０とケース本体５４の間に取り付けられる。シールドプレート１５０は、演出・画像制御基板９０およびインターフェース基板１４０の前面側への電磁波を遮断して電磁ノイズの影響を抑えるようになっている。
【００３７】
絶縁プレート１５３は、不導体材料（樹脂材料）を用いてシールドプレート１５０と同様に演出・画像制御基板９０およびインターフェース基板１４０の形状に対応した矩形板状に形成されており、演出・画像制御基板９０およびインターフェース基板１４０の前面全体をカバーするように基板９０，１４０とシールドプレート１５０の間に取り付けられる。シールドプレート１５０は、演出・画像制御基板９０およびインターフェース基板１４０からシールドプレート１５０に電流が流れるのを遮断するようになっている。
【００３８】
シールドカバー１５５は、導体材料（金属材料）を用いて前面開放の略矩形箱状に形成されており、その前面開放部において演出・画像制御基板９０の後面側（電子部品が実装されている側）全体を覆うようにケース本体５４に取り付けられる。シールドカバー１５５は、演出・画像制御基板９０の後面側への電磁波を遮断して電磁ノイズの影響を抑えるようになっている。シールドカバー１５５の上下面および後面には、それぞれ貫通した複数の貫通孔が形成されており、これらの貫通孔により演出・画像制御基板９０から発生する熱を外部に逃がすようになっている。
【００３９】
第１基板カバー１６０は、透明な樹脂材料を用いて前面開放の略矩形箱状に形成されており、そのカバー内部においてシールドカバー１５５（演出・画像制御基板９０）および液晶中継基板５６の後面側を覆うようにケース本体５４にネジ止め固定され、さらにそのネジの取り外し操作を行い難くする封印部材１６１が装着されてケース本体５４に取り付けられる。第１基板カバー１６０の上下面および後面には、シールドカバー１５５と同様に、それぞれ貫通した複数の貫通孔が形成されており、これらの貫通孔により、シールドカバー１５５の貫通孔を通って放熱された演出・画像制御基板９０から発生する熱を外部に逃がすようになっている。
【００４０】
シールドカバー１５５および第１基板カバー１６０には、演出・画像制御基板９０に実装された接続コネクタ９２〜９５をそれぞれ外部に露出させ、接続コネクタ９２〜９５のそれぞれに通信用ハーネスや接続コネクタを接続可能にするための挿通孔が接続コネクタ９２〜９５のそれぞれの位置に対応して形成されている。
【００４１】
第２基板カバー１６５は、図１０および図１２に示すように、透明な樹脂材料を用いてインターフェース基板１４０の後面（電子部品が実装された面）形状に対応した前面開放
の略矩形箱状に形成されており、そのカバー内部においてインターフェース基板１４０の後面側を覆うようにケース本体５４に取り付けられる。第２基板カバー１６５の上および左右側壁にはそれぞれ、前方に突出した円柱状の係合突起１６６が形成されている。これらの係合突起１６６は、インターフェース基板１４０の後面に形成された係合孔１４６（図１１を参照）にそれぞれ挿入されるようになっている。係合突起１６６を係合孔１４６に挿入することにより、第２基板カバー１６５に対してインターフェース基板１４０が位置決めされ、その位置決めされた状態においてインターフェース基板１４０が第２基板カバー１６５の前面側にネジ止め固定されて取り付けられるようになっている。
【００４２】
第２基板カバー１６５の後面には、インターフェース基板１４０に設けられた接続コネクタ１４２〜１４４をそれぞれ後方に露出させ、接続コネクタ１４２〜１４４のそれぞれに通信用ハーネスを接続可能にするための複数の挿通孔１６７が接続コネクタ１４２〜１４４のそれぞれの位置に対応して形成されている。また、挿通孔１６７は、接続コネクタ１４２〜１４４に対応した位置以外にも上下に並んで複数形成されている。挿通孔１６７は、接続コネクタ１４２等の形状に対応して横長矩形状に形成されているが、その横方向（左右方向）の幅（長さ）は、接続コネクタ１４２等よりも長く、第２基板カバー１６５の後面に可能な限り長く延びるように形成されている。
【００４３】
このように複数の挿通孔１６７が形成されているため、例えば、インターフェース基板１４０において接続コネクタ１４２〜１４４の他に接続コネクタが増設されたり、設計変更によって接続コネクタ１４２等の位置が左右方向に移動変更された場合であっても、第２基板カバー１６５を作り変えることなくそのまま使用することができるようになっている。第２基板カバー１６５の後面における複数の挿通孔１６７が形成された以外の位置には、前後に貫通した複数の貫通孔が形成されており、これらの貫通孔によりインターフェース基板１４０から発生する熱を外部に逃がすようになっている。
【００４４】
第２基板カバー１６５の左側壁には、インターフェース基板１４０に設けられた接続コネクタ１４５を左方に露出させ、接続コネクタ１４５を演出・画像制御基板９０に設けられた第４接続コネクタ９３に接続可能にするための挿通孔１６８が接続コネクタ１４５の位置に対応して形成されている。この挿通孔１６８の右方側の第２基板カバー１６５の後面は、他の部分よりも後方に膨らんだ（背が高くなった）形状に形成されており、この部分においてインターフェース基板１４０に設けられた比較的背の高い電子部品を覆うことができるようになっている。また、挿通孔１６８の後方側の第２基板カバー１６５の後面（背が高くなった部分）には、後方に突出して上下に延びる板状の取手部１６９が形成されている。
【００４５】
第２基板カバー１６５の上下側壁の外面にはそれぞれ取付片１７０，１７０が形成されている。取付片１７０は、左右方向に延びる板状の基部１７０ａ、基部１７０ａの左端から前方に延びる板状の中間部１７０ｂ、および中間部１７０ｂの前端から左方に延びる先端部１７０ｃを有し、上下方向から見たときにクランク状に形成されている。図１０および図１１に示すように、ケース本体５４のインターフェース基板１４０が配置される位置の上下にはそれぞれ取付溝１７５，１７５が形成されている。取付溝１７５は、後方に開口する挿入溝部１７５ａ、および挿入溝部１７５ａの前部から左方に延びる係止溝部１７５ｂを有し、上下方向から見たときにＬ字状に形成されている。
【００４６】
第２基板カバー１６５は、上下の取付片１７０，１７０をケース本体５４の取付溝１７５，１７５の挿入溝部１７５ａ，１７５ａに後方側から挿入し、さらにケース本体５４に対して第２基板カバー１６５を左方にスライド移動させて取付片１７０，１７０の先端部１７０ｃ，１７０ｃを取付溝１７５，１７５の係止溝部１７５ｂ，１７５ｂに挿入させることにより、第２基板カバー１６５がケース本体５４に装着されるようになっている。ま
た、このように第２基板カバー１６５がケース本体５４に装着されるとき、すなわちケース本体５４に対して第２基板カバー１６５を左方にスライド移動させるときに、第２基板カバー１６５に取り付けられたインターフェース基板１４０の接続コネクタ１４５が演出・画像制御基板９０の第４接続コネクタ９３に嵌合接続され、インターフェース基板１４０と演出・画像制御基板９０が電気接続（ボード・トゥ・ボード接続）されるようになっている。このようにケース本体５４に装着された第２基板カバー１６５は、さらに複数本のネジ（図示せず）を用いてケース本体５４に固定される。
【００４７】
次に、このように構成される制御基板アッセンブリ８０の組立手順について、図１０、図１３および図１４を用いて説明する。制御基板アッセンブリ８０を組み立てるには、まず、液晶表示装置５０のケース本体５４の後面における所定の取付位置にシールドプレート１５０を取り付け、そのシールドプレート１５０の後面側に絶縁プレート１５３を取り付ける。そして、その絶縁プレート１５３の後面側に演出・画像制御基板９０を設置して複数本のネジを用いて固定する。また、ケース本体５４の後面の演出・画像制御基板９０の上方位置に液晶中継基板５６を設置してネジ止め固定する。このように液晶ユニット４０では、演出・画像制御基板９０と液晶中継基板５６が上下に並んで配置されているため、従来の液晶ユニットのようにこれらの基板が前後に並んで配置されていた構成よりも、液晶ユニットの前後の厚さを薄くすることができる。これにより、遊技盤１０の盤面に配設される中央飾り等の遊技構成部品をより大きくダイナミックなものにすることが可能となる。
【００４８】
次に、演出・画像制御基板９０の後面側全体を覆うようにシールドカバー１５５をケース本体５４の後面に取り付け、そのシールドカバー１５５および液晶中継基板５６の後面側を覆うように第１基板カバー１６０をケース本体５４の後面に設置してネジ止め固定し、さらに封印部材１６１を第１基板カバー１６０に装着する。シールドカバー１５５をケース本体５４に取り付けるときには、シールドカバー１５５とケース本体５４が当接する部分（シールドカバー１５５の上下左右側壁の前端部）にガスケット（細い金属製の網状部材を円筒状に丸めたもの）を配設している。このガスケットによりシールドカバー１５５を第１基板カバー１６０の内面に押し付けているため、シールドカバー１５５をネジ止め固定しなくてもシールドカバー１５５が第１基板カバー１６０内でずれたりしないようになっている。このように演出・画像制御基板９０はシールドプレート１５０およびシールドカバー１５５によって前後が覆われた状態となっているため、演出・画像制御基板９０への電磁波を遮断して電磁ノイズの影響を抑えることができるようになっている。
【００４９】
次に、インターフェース基板１４０を第２基板カバー１６５の前面側にネジ止め固定する。そして、その第２基板カバー１６５の上下の取付片１７０，１７０をケース本体５４に形成された取付溝１７５，１７５に後方側から挿入し、さらに取手部１６９を操作してケース本体５４に対して第２基板カバー１６５を左方にスライド移動させて、第２基板カバー１６５をケース本体５４に装着する。このようにケース本体５４に対して第２基板カバー１６５を左方にスライド移動させるときに、第２基板カバー１６５に取り付けられたインターフェース基板１４０の接続コネクタ１４５が演出・画像制御基板９０の第４接続コネクタ９３に嵌合接続され、インターフェース基板１４０と演出・画像制御基板９０が電気接続（ボード・トゥ・ボード接続）されるようになっている。そして、第２基板カバー１６５を複数本のネジ（図示せず）を用いてケース本体５４に固定して、制御基板アッセンブリ８０が組み立てられることとなる。
【００５０】
以上、本実施形態に係る液晶ユニット４０によれば、インターフェース基板１４０が取り付けられた第２基板カバー１６５をケース本体５４に対して左方にスライド移動させることにより、インターフェース基板１４０の接続コネクタ１４５が演出・画像制御基板９０の第４接続コネクタ９３に嵌合接続され、インターフェース基板１４０と演出・画像制
御基板９０が電気接続（ボード・トゥ・ボード接続）されるように構成されている。そのため、演出・画像制御基板９０とインターフェース基板１４０のボード・トゥ・ボード接続作業と、第２基板カバー１６５の取り付け作業とを一つの作業により同時に行うことができる。従って、演出・画像制御基板９０およびインターフェース基板１４０の着脱作業（交換作業）をより効率的に行うことが可能となる。また、演出・画像制御基板９０およびインターフェース基板１４０を接続させるための基板接続機構を第２基板カバー１６５に組み込むことにより、基板接続機構を別に設けるよりも制御基板アッセンブリ８０のコストダウンを図ることができる。
【００５１】
また、液晶ユニット４０によれば、画面保護カバー５２は、矩形枠状に形成された枠部５２ａと、枠部５２ａの前面側に設けられ液晶表示パネル５１の表示画面５１ａ全体を覆う矩形板状のプレート部５２ｂとを有し、枠部５２ａおよびプレート部５２ｂが透明な樹脂材料を用いて一体に形成されている。そのため、枠部とその枠部と別に設けられた保護シートとを有する従来の画面保護カバーよりも、画面保護カバーのコストダウンを図ることができる。なお、画面保護カバー５２を形成する樹脂材料としては、例えばポリカーボネート等が用いられるが、近年これらの樹脂成型技術が向上してプレート部５２ｂの透明度を液晶画面を視認可能な程度に確保することができるようになったため、枠部５２ａおよびプレート部５２ｂを一体に形成することが可能になった。
【００５２】
また、液晶ユニット４０によれば、演出・画像制御基板９０がシールドプレート１５０およびシールドカバー１５５によって前後が覆われた状態で配設されている。そのため、演出・画像制御基板９０への電磁波を遮断して電磁ノイズの影響を抑えることができる。また、遊技構成部品１９と電気接続するための接続コネクタをインターフェース基板１４０に集めて配設しているため、演出・画像制御基板９０に配設される接続コネクタの数を少なくすることができる。そのため、演出・画像制御基板９０の接続コネクタに通信用ハーネスや接続コネクタを接続するためにシールドカバー１５５に形成される挿通孔の数を少なくすることができ、これによりシールドカバー１５５による電磁シールド効果をより高めることができる。
【００５３】
これまで本発明の好ましい実施形態について説明してきたが、本発明の範囲はこれに限定されるものではない。例えば、上述の実施形態では、インターフェース基板１４０を第２基板カバー１６５に固定し、その第２基板カバー１６５をケース本体５４に装着する構成について説明したが、インターフェース基板１４０をケース本体５４に載置し、そのインターフェース基板１４０上に第２基板カバー１６５を被せるように設置して、インターフェース基板１４０と第２基板カバー１６５を係合させる構成としてもよい。
【００５４】
また、上述の実施形態では、画像表示装置として、液晶表示パネルを有した液晶表示装置を例示して説明したが、これに限定されるものではなく、有機ＥＬ表示装置、プラズマディスプレイ表示装置、ＣＲＴ、等の他の表示装置を適用して構成してもよい。また、上述の実施形態では、本発明をパチンコ機に適用した事例について説明したが、アレンジボール機や雀球遊技機などの他の遊技機に適用することができ、同様の効果を得ることができる。
【符号の説明】
【００５５】
ＰＭ    パチンコ機（遊技機）
ＰＡ    遊技領域
１０    遊技盤
１９    遊技構成部品
３４    主制御基板（メイン制御基板）
４０    液晶ユニット（画像表示ユニット）
５０    液晶表示装置（画像表示装置）
５１    液晶表示パネル（画像表示パネル）
５３    液晶パネルケース（パネル収容部材）
５２    画面保護カバー
５４    ケース本体（本体部材）
９０    演出・画像制御基板（サブ制御基板）
９３    第４接続コネクタ（基板接続用コネクタ）
１４０  インターフェース基板
１４２，１４３  接続コネクタ（外部接続用コネクタ）
１４５  接続コネクタ（基板接続用コネクタ）
１５０  シールドプレート
１５５  シールドカバー
１６０  第１基板カバー（サブ制御基板用カバー）
１６５  第２基板カバー（インターフェース基板用カバー）
【図１】
0006292073.tif 000002
【図２】
0006292073.tif 000003
【図３】
0006292073.tif 000004
【図４】
0006292073.tif 000005
【図５】
0006292073.tif 000006
【図６】
0006292073.tif 000007
【図７】
0006292073.tif 000008
【図８】
0006292073.tif 000009
【図９】
0006292073.tif 000010
【図１０】
0006292073.tif 000011
【図１１】
0006292073.tif 000012
【図１２】
0006292073.tif 000013
【図１３】
0006292073.tif 000014
【図１４】
0006292073.tif 000015